(57)【要約】      （修正有）【課題】ストラップの多様化に十分対応でき、消費者の購買意欲を十分に満たすことができる、携帯端末用保護ケースを提供する。【解決手段】平面視矩形の携帯端末を保護するために、携帯端末に取り付けられる、携帯端末用保護ケース１において、携帯端末の四側面をそれぞれ覆う壁部３Ａ，３Ｂ，３Ｃ，３Ｄからなり、携帯端末の周側面を保護する、周側面部３を備えている。周側面部３に、複数個のストラップ取付部５が形成されている。【選択図】図１
0003186174.tif 000002
【実用新案登録請求の範囲】
【請求項１】
平面視矩形の携帯端末を保護するために、前記携帯端末に取り付けられる、携帯端末用保護ケースにおいて、
前記携帯端末の四側面をそれぞれ覆う壁部からなり、前記携帯端末の周側面を保護する、周側面部を備えており、
前記周側面部に、複数個のストラップ取付部が形成されていることを特徴とする、携帯端末用保護ケース。
【請求項２】
請求項１に記載の携帯端末用保護ケースにおいて、
対向する前記壁部の各々に、少なくとも１個の前記ストラップ取付部が形成されていることを特徴とする、携帯端末用保護ケース。
【請求項３】
請求項２に記載の携帯端末用保護ケースにおいて、
対向する前記壁部の各々に形成された一対の前記ストラップ取付部は、両者を結ぶ直線が前記携帯端末の裏面に対して襷掛けとなるような、配置関係で、形成されていることを特徴とする、携帯端末用保護ケース。
【請求項４】
請求項１から３のいずれか１つに記載の携帯端末用保護ケースにおいて、
前記携帯端末の裏面を保護する平面視矩形の背面部をさらに備えており、
前記周側面部の壁部は、前記背面部の四辺縁にそれぞれ設けられていることを特徴とする、携帯端末用保護ケース。
【考案の詳細な説明】
【技術分野】
【０００１】
本考案は、携帯端末を保護するための携帯端末用保護ケースに関する。
【背景技術】
【０００２】
近年、携帯端末の多様化に伴い、ストラップ取付部を備えていない携帯端末が数多く存在している。一方、携帯端末は、外的衝撃を受ける可能性が高いので、携帯端末用保護ケースが使用されるようになってきており、特に、ストラップ取付部を備えた携帯端末用保護ケースが使用されてきている。
【０００３】
そして、ストラップ取付部を備えた携帯端末用保護ケースとしては、例えば、実用新案登録第３１８００８８号公報（特許文献１）に記載されたものがある。この携帯端末用保護ケースでは、１個のストラップ取付部が設けられているだけである。
【先行技術文献】
【特許文献】
【０００４】
【特許文献１】実用新案登録第３１８００８８号公報
【考案の概要】
【考案が解決しようとする課題】
【０００５】
しかしながら、携帯端末の多様化に伴い、ストラップの、機能、使用態様、あるいは、形態等も、多様化している。そのため、従来の携帯端末用保護ケースでは、ストラップ取付部が１個しかないので、使用できるストラップの種類が制限され、それ故に、消費者の要求を十分に満たすことができず、消費者の購買意欲を十分に満たすことができなかった。
【０００６】
そこで、本考案の目的は、ストラップの多様化に十分対応でき、消費者の購買意欲を十分に満たすことができる、携帯端末保護ケースを、提供することである。
【課題を解決するための手段】
【０００７】
本考案の携帯端末用保護ケースは、平面視矩形の携帯端末を保護するために、前記携帯端末に取り付けられる、携帯端末用保護ケースにおいて、前記携帯端末の四側面をそれぞれ覆う壁部からなり、前記携帯端末の周側面を保護する、周側面部を備えており、前記周側面部に、複数個のストラップ取付部が形成されていることを特徴とする。
【０００８】
また、本考案は、更に、次の構成を任意に採用するのが好ましい。
【０００９】
（Ａ）対向する前記壁部の各々に、少なくとも１個の前記ストラップ取付部が形成されている。
【００１０】
（Ｂ）前記構成（Ａ）において、対向する前記壁部の各々に形成された一対の前記ストラップ取付部は、両者を結ぶ直線が前記携帯端末の裏面に対して襷掛けとなるような、配置関係で、形成されている。
【００１１】
（Ｃ）前記携帯端末の裏面を保護する平面視矩形の背面部をさらに備えており、前記周側面部の壁部は、前記背面部の四辺縁にそれぞれ設けられている。
【考案の効果】
【００１２】
本考案の携帯端末用保護ケースによれば、取り付けるために複数個のストラップ取付部を必要とするタイプの、ストラップを、取り付けることができる。そのため、従来の携帯端末用保護ケースに比べて、使用できるストラップの種類が増大し、消費者の購買意欲を十分に満たすことができる。
【００１３】
上記構成（Ａ）によれば、例えば、２個のストラップ取付部を必要とするタイプの、ストラップを、取り付けることができる。
【００１４】
上記構成（Ｂ）によれば、例えば、２個のストラップ取付部を必要とするタイプの、ストラップを、襷掛けにして取り付けることができる。従って、ストラップと携帯端末用保護ケースとの間に手を入れ込んで、携帯端末を保持できる。
【００１５】
上記構成（Ｃ）によれば、携帯端末の周側面だけでなく裏面も保護できる携帯端末用保護ケースにおいても、取り付けるために複数個のストラップ取付部を必要とするタイプの、ストラップを、取り付けることができる。
【図面の簡単な説明】
【００１６】
【図１】本考案の一実施形態の携帯端末用保護ケースを示す斜視図である。
【図２】図１の携帯端末用保護ケースを、図１とは異なる方向から見た斜視図である。
【図３】図１の携帯端末用保護ケースの使用状態を示す図である。
【図４】本考案の他の実施形態の携帯端末用保護ケースを示す斜視図である。
【考案を実施するための形態】
【００１７】
以下、本考案の携帯端末用保護ケースを図示の一実施形態に基づいて詳細に説明する。
【００１８】
図１，図２は、本発明の一実施形態の携帯端末用保護ケースを示す斜視図である。この携帯端末用保護ケース１は、背面部２と、周側面部３と、からなり、例えば、ポリカーボネートで構成されたハードケースである。
【００１９】
背面部２は、平面視矩形状を有している。背面部２の四方の角部は、Ｒ加工されて丸くなっている。背面部２の一つの隅部（図１，２では上側かつ左側）には、楕円形状の開口部４が形成されている。この開口部４は、携帯端末用保護ケース１が携帯端末１０に取り付けられた際に携帯端末のカメラのレンズ１１およびフラッシュ１２を露出させる形態に、形成されている。
【００２０】
周側面部３は、背面部２の四辺縁にそれぞれ形成された４個の壁部からなっている。４個の壁部は、長手方向の壁部３Ａ，３Ｂと、短手方向の壁部３Ｃ，３Ｄと、である。４個の壁部３Ａ，３Ｂ，３Ｃ，３Ｄは、連続しており、その結果、周側面部３を構成している。４個の壁部３Ａ，３Ｂ，３Ｃ，３Ｄは、背面部２の辺縁から、背面部２の厚さ方向に、同一寸法だけ突出している。
【００２１】
そして、携帯端末用保護ケース１では、周側面部３の壁部３Ａ，３Ｂに、それぞれ、１個のストラップ取付部５が形成されている。
【００２２】
壁部３Ａにおいて、１個のストラップ取付部５は、２個の貫通孔５１からなっている。貫通孔５１は、壁部３Ａを貫通している。２個の貫通孔５１は、長手方向に近接して並んで形成されている。壁部３Ｂにおいても、１個のストラップ取付部５が、壁部３Ａの場合と同様に形成されている。また、壁部３Ａのストラップ取付部５と壁部３Ｂのストラップ取付部５とは、両者を結んだ直線５０が背面部２に対して襷掛けとなるような、配置関係で、形成されている。
【００２３】
壁部３Ｂには、図２に示されているように、切欠部６が形成されている。この切欠部６は、携帯端末用保護ケース１が携帯端末に取り付けられた際に携帯端末１０の側面の音量調整ボタン１３またはマナーモード切替スイッチ１４等を露出させる形態に、形成されている。
【００２４】
上記構成の携帯端末用保護ケース１は、例えば、次のように使用する。ここでは、図３に示すような、チェーンを含むストラップ２０を用いている。
【００２５】
まず、ストラップ２０の両端を壁部３Ａ，３Ｂのストラップ取付部５に、それぞれ取り付ける。これにより、ストラップ２０は、携帯端末用保護ケース１に、背面部２に対して襷掛けの状態となる。次に、ストラップ２０を取り付けた携帯端末用保護ケース１を、携帯端末１０に取り付ける。なお、図３では、携帯端末用保護ケース１のみ示している。そして、背面部２とストラップ２０との間の隙間に手３０を入れ、携帯端末用保護ケース１を把握する。
【００２６】
なお、ストラップ２０の取り付けは、可能ならば、携帯端末用保護ケース１を携帯端末１０に取り付けた後行ってもよい。
【００２７】
上記構成の携帯端末用保護ケース１によれば、次のような効果を発揮できる。
【００２８】
（１）取り付けるために複数個のストラップ取付部５を必要とするタイプの、ストラップ２０を、取り付けることができる。そのため、従来の携帯端末用保護ケースに比べて、使用できるストラップの種類を増大でき、消費者の購買意欲を十分に満たすことができる。
【００２９】
（２）２個のストラップ取付部５を必要とするタイプの、ストラップ２０を、取り付けることができる。
【００３０】
（３）２個のストラップ取付部５を必要とするタイプの、ストラップ２０を、襷掛けの状態になるように、取り付けることができる。従って、ストラップと携帯端末用保護ケースとの間に手を入れ込んで、携帯端末を保持できる。
【００３１】
（変形例）
（ａ）携帯端末用保護ケース１は、例えば、シリコンまたはＴＰＵ（熱可塑性ポリウレタン）で構成されたソフトケースであってもよい。
【００３２】
（ｂ）携帯端末用保護ケース１の大きさは、取り付け対象の携帯端末１０の大きさに応じて適宜変更できる。
【００３３】
（ｃ）一対のストラップ取付部５は、長手方向壁部３Ａ，３Ｂに限らず、短手方向壁部３Ｃ，３Ｄに形成してもよい。
【００３４】
（ｄ）一対のストラップ取付部５は、対向していない壁部、例えば、壁部３Ａおよび壁部３Ｃに、形成してもよい。
【００３５】
（ｅ）ストラップ取付部５は、全ての壁部３Ａ，３Ｂ，３Ｃ，３Ｄに形成してもよい。
【００３６】
（ｆ）一対のストラップ取付部５は、１個の壁部のみに、複数個形成してもよい。
【００３７】
（ｇ）開口部４または切欠部６は、取り付け対象の携帯端末１０に応じて、大きさ、形成位置、形成個数等を、適宜変更できる。また、変更できる形成位置は、長手方向の壁部３Ａ，３Ｂに限らず、短手方向の壁部３Ｃ，３Ｄでもよい。
【００３８】
（ｈ）本考案の携帯端末用保護ケースは、図４に示されるように、周側面部３のみで構成される携帯端末用保護ケース１０１であってもよい。
【符号の説明】
【００３９】
１，１０１  携帯端末用保護ケース
２  背面部
３  周側面部
３Ａ，３Ｂ  長手方向壁部
３Ｃ，３Ｄ  短手方向壁部
４  開口部
５  ストラップ取付部
６  切欠部
１０  携帯端末
１１  レンズ
１２  フラッシュ
１３  マナーモード切替スイッチ
１４  音量調整ボタン
２０  ストラップ
３０  手
５０  直線
５１  貫通孔
【図１】
0003186174.tif 000003
【図２】
0003186174.tif 000004
【図３】
0003186174.tif 000005
【図４】
0003186174.tif 000006